(57)【特許請求の範囲】
【請求項１】
ケースと、前記ケースの上壁に開口して設けられて相手側部材が装着される装着部と、前記ケース内に収容される回路基板と、前記ケース内のうち前記装着部の下方の位置に配されると共に前記回路基板の上方を覆う上枠部と、前記上枠部の側縁から下方に延びると共に前記回路基板の側方に位置して配される側枠部と、前記側枠部の下端縁に形成されて前記回路基板の下方を覆う下枠部と、前記上枠部の上面に形成されて前記側枠部に向かうに従って下降傾斜する傾斜面と、前記側枠部の外側面に上下方向に延びて形成された溝部と、を備え、
前記ケースの下壁には前記溝部の下端縁に対応する位置に、前記溝部の下端縁から下方に突出すると共に下方に開口する第１排水部が設けられており、
前記ケースの下壁の下面には、相手側コネクタと嵌合可能なコネクタハウジングが前記第１排水部と離間して下方に開口して形成されており、
前記ケースの下壁の上面には前記第１排水部の近傍の位置に上方に突出する第１止水壁が形成されており、
前記下枠部の下面には前記第１止水壁に対応する位置に前記第１止水壁を収容する第１止水溝が形成されている電気接続箱。
【請求項２】
前記コネクタハウジング内には前記回路基板と接続された端子金具が配されている請求項１に記載の電気接続箱。
【請求項３】
ケースと、前記ケースの上壁に開口して設けられて相手側部材が装着される装着部と、前記ケース内に収容される回路基板と、前記ケース内のうち前記装着部の下方の位置に配されると共に前記回路基板の上方を覆う上枠部と、前記上枠部の側縁から下方に延びると共に前記回路基板の側方に位置して配される側枠部と、前記上枠部の上面に形成されて前記側枠部に向かうに従って下降傾斜する傾斜面と、前記側枠部の外側面に上下方向に延びて形成された溝部と、を備え、前記ケースには前記溝部の下端縁に対応する位置に、前記溝部の下端縁から下方に突出すると共に下方に開口する第１排水部が設けられており、
前記ケースの下壁の下面には、相手側コネクタと嵌合可能なコネクタハウジングが前記第１排水部と離間して下方に開口して形成されており、
前記コネクタハウジング内には前記回路基板と接続された端子金具が配されており、
前記ケースの下壁の下面には、前記コネクタハウジングと、前記第１排水部との間の位置に、下方に垂下する第２止水壁が形成されており、
前記ケースの下壁には、複数の前記コネクタハウジングが形成されており、複数の前記コネクタハウジングは、前記回路基板のグランドラインに接続された複数のグランド用端子金具がまとめて配設されたグランド用コネクタハウジングを含む電気接続箱。
【請求項４】
前記第２止水壁の下端縁は、前記コネクタハウジングに嵌合した状態における前記相手側コネクタの下端縁よりも下方に位置している請求項３に記載の電気接続箱。
【請求項５】
前記第２止水壁は、前記コネクタハウジングを構成する壁部を兼ねている請求項３または請求項４に記載の電気接続箱。
【請求項６】
前記第２止水壁は、前記第１排水部を構成する壁部を兼ねている請求項３ないし請求項５のいずれか一項に記載の電気接続箱。
【請求項７】
下方に開口するケースと、前記ケースの上壁に開口して設けられて相手側部材が装着される装着部と、前記ケース内に収容される回路基板と、前記ケース内のうち前記装着部の下方の位置に配されると共に前記回路基板の上方を覆う上枠部と、前記上枠部の側縁から下方に延びると共に前記回路基板の側方に位置して配される側枠部と、前記側枠部の下端縁に形成されて前記回路基板の下方を覆う下枠部と、前記上枠部の上面に形成されて、前記側枠部に向かうに従って下降傾斜する傾斜面と、前記側枠部の外側面に上下方向に延びて形成された溝部と、前記溝部の下端縁に設けられた第２排水部と、を備え、
、前記下枠部の下面には、相手側コネクタと嵌合可能なコネクタハウジングが前記第２排水部と離間して下方に開口して形成されており、
前記下枠部の下面には、前記コネクタハウジングと、前記第２排水部との間の位置に、下方に垂下する第２止水壁が形成されており、
前記コネクタハウジング内には前記回路基板と接続された端子金具が配されており、
前記下枠部には、複数の前記コネクタハウジングが形成されており、複数の前記コネクタハウジングは、前記回路基板のグランドラインに接続された複数のグランド用端子金具がまとめて配設されたグランド用コネクタハウジングを含む電気接続箱。
【請求項８】
前記上枠部には複数の前記側枠部が形成されており、前記傾斜面は、前記上枠部のうち、複数の前記側枠部からの距離が略等しい位置を頂点として、各前記側枠部に向かうに従って下降傾斜して形成されている請求項１ないし請求項７のいずれか一項に記載の電気接続箱。
【請求項９】
前記側枠部には、前記溝部を構成する一対の側壁の先端縁に掛け渡されて前記溝部を覆う蓋部が形成されている請求項１ないし請求項８のいずれか一項に記載の電気接続箱。
【請求項１０】
前記ケースの側壁の下端縁は、前記コネクタハウジングに嵌合した状態における前記相手側コネクタの下端縁よりも下方に位置している請求項１ないし請求項９のいずれか一項に記載の電気接続箱。
【発明の詳細な説明】
【技術分野】
【０００１】
本発明は、ケース内に回路基板を収容する電気接続箱に関する。
【背景技術】
【０００２】
従来より、車両に搭載されて、ランプ、ホーン等の車載電装品の通電、及び断電を実行する電気接続箱として、特許文献１に記載のものが知られている。この電気接続箱は、ケース内に、電子部品が実装された回路基板を収容してなる。ケースの上部には、上方に開口して、コネクタ等の相手側部材を装着可能な装着部が形成されている。
【０００３】
例えば、電気接続箱が車両のエンジンルーム内に収容された場合、降雨時や洗車時等、電気接続箱に水が降りかかると、ケースの上部に形成された装着部からケース内に水が浸入することが懸念される。
【０００４】
上記の電気接続箱においては、装着部の下方に、装着部内に収容される接続端子が取り付けられるコネクタ本体が設けられており、このコネクタ本体の上面には、ケース内に浸入した水をコネクタ本体の端部から排水するための傾斜面が形成されている。傾斜面の端部は排水口とされる。この排水口の下方には下方に開口するダクトが形成されており、排水口から流出した水がケースの外部に排出されるようになっている。
【特許文献１】特開２００３−３４８７３２公報
【発明の開示】
【発明が解決しようとする課題】
【０００５】
しかしながら上記の構成によると、排水口に到達した水が、コネクタ本体の下面に回り込んで、回路基板側に移動することが懸念される。すると、水が回路基板に付着し、回路基板に形成された回路が短絡することが懸念される。
【０００６】
本発明は上記のような事情に基づいて完成されたものであって、ケース内に浸入した水が回路基板に付着することを抑制した電気接続箱を提供することを目的とする。
【課題を解決するための手段】
【０００７】
本発明は、電気接続箱であって、ケースと、前記ケースの上壁に開口して設けられて相手側部材が装着される装着部と、前記ケース内に収容される回路基板と、前記ケース内のうち前記装着部の下方の位置に配されると共に前記回路基板の上方を覆う上枠部と、前記上枠部の側縁から下方に延びると共に前記回路基板の側方に位置して配される側枠部と、前記側枠部の下端縁に形成されて前記回路基板の下方を覆う下枠部と、前記上枠部の上面に形成されて前記側枠部に向かうに従って下降傾斜する傾斜面と、前記側枠部の外側面に上下方向に延びて形成された溝部と、を備え、前記ケースの下壁には前記溝部の下端縁に対応する位置に、前記溝部の下端縁から下方に突出すると共に下方に開口する第１排水部が設けられており、前記ケースの下壁の下面には、相手側コネクタと嵌合可能なコネクタハウジングが前記第１排水部と離間して下方に開口して形成されており、前記ケースの下壁の上面には前記第１排水部の近傍の位置に上方に突出する第１止水壁が形成されており、前記下枠部の下面には前記第１止水壁に対応する位置に前記第１止水壁を収容する第１止水溝が形成されている。 
【０００８】
まず、ケースの上壁に開口して設けられた装着部からケース内に水が浸入すると、ケース内に浸入した水は下方に流下し、装着部の下方の位置に配された上枠部の上面に落下する。上枠部は回路基板の上方を覆っているので、回路基板に水が付着することを抑制できる。
【０００９】
上枠部の上面に滴下した水は、上枠部の上面に形成された傾斜面を流下し、側枠部に移動する。側枠部に移動した水は、側枠部の外側面に上下方向に延びて形成された溝部に案内されて、下方へと流下する。側枠部は回路基板の側方の位置に配されており、溝部は側枠部の外側面に形成されているので、溝部を流下する水が回路基板に付着することを抑制できる。
【００１０】
溝部の下端縁にまで達した水は、下方に流下し、ケースのうち溝部の下端縁に対応する位置に開口して設けられた第１排水部から、ケースの外部へと排出される。これにより、ケース内に浸入した水が回路基板に付着することを抑制できる。
【００１１】
本発明の態様としては、以下の態様が好ましい。
前記ケースは下壁を有し、前記ケースの下壁には前記溝部の下端縁に対応する位置に前記第１排水部が形成されており、前記ケースの下壁の上面には前記第１排水部の近傍の位置に上方に突出する第１止水壁が形成されていてもよい。
【００１２】
上記の構成によれば、溝部の下端縁から流下した水が、第１排水部に落下せずにケースの下壁の上面に落下した場合でも、第１止水壁によって、水が回路基板に移動することを抑制できる。
【００１３】
前記側枠部の下端縁には、前記回路基板の下方を覆う下枠部が形成されており、前記下枠部の下面には前記第１止水壁に対応する位置に前記第１止水壁を収容する第１止水溝が形成されていてもよい。
【００１４】
上記の構成によれば、第１止水壁が第１止水溝内に収容されることにより、第１止水壁と第１止水溝との間には入り組んだ構造が形成される。これにより、溝部の下端縁から流下してケースの下壁の上面に落下した水が、回路基板に移動することを一層抑制できる。
【００１５】
前記ケースの下壁の下面には、相手側コネクタと嵌合可能なコネクタハウジングが下方に開口して形成されており、前記コネクタハウジング内には前記回路基板と接続された端子金具が配されていてもよい。
【００１６】
上記の構成によれば、電気接続箱は相手側コネクタと嵌合可能になっている。
【００１７】
下方に開口するケースと、前記ケースの上壁に開口して設けられて相手側部材が装着される装着部と、前記ケース内に収容される回路基板と、前記ケース内のうち前記装着部の下方の位置に配されると共に前記回路基板の上方を覆う上枠部と、前記上枠部の側縁から下方に延びると共に前記回路基板の側方に位置して配される側枠部と、前記上枠部の上面に形成されて、前記側枠部に向かうに従って下降傾斜する傾斜面と、前記側枠部の外側面に上下方向に延びて形成された溝部と、前記溝部の下端縁に設けられた第２排水部と、を備えてもよい。
【００１８】
まず、ケースの上壁に上方に開口して設けられた装着部からケース内に水が浸入すると、ケース内に浸入した水は下方に流下し、装着部の下方の位置に配された上枠部の上面に落下する。上枠部は回路基板の上方を覆っているので、回路基板に水が付着することを抑制できる。
【００１９】
上枠部の上面に滴下した水は、上枠部の上面に形成された傾斜面を流下し、側枠部に移動する。側枠部に移動した水は、側枠部の外側面に上下方向に延びて形成された溝部に案内されて、下方へと流下する。側枠部は回路基板の側方の位置に配されており、溝部は側枠部の外側面に形成されているので、溝部を流下する水が回路基板に付着することを抑制できる。
【００２０】
溝部の下端縁に設けられた第２排水部まで流下した水は、下方に落下しケースの外部へと排出される。これにより、ケース内に浸入した水が回路基板に付着することを抑制できる。
【００２１】
前記側枠部の下端縁には、前記回路基板の下方を覆う下枠部が形成されており、前記下枠部の下面には、相手側コネクタと嵌合可能なコネクタハウジングが下方に開口して形成されており、前記コネクタハウジング内には前記回路基板と接続された端子金具が配されていてもよい。
【００２２】
上記の構成によれば、電気接続箱は相手側コネクタと嵌合可能になっている。
【００２３】
前記ケースの下壁の下面、又は前記下枠部の下面には、前記コネクタハウジングと、前記第１排水部又は前記第２排水部との間の位置に、下方に垂下する第２止水壁が形成されていてもよい。
【００２４】
上記の構成によれば、第１排水部又は第２排水部に達した水が、ケースの下壁の下面、又は下枠部の下面を経由してコネクタハウジング内に流入することを、第２止水壁によって抑制できる。
【００２５】
前記第２止水壁の下端縁は、前記コネクタハウジングに嵌合した状態における前記相手側コネクタの下端縁よりも下方に位置していてもよい。
【００２６】
コネクタハウジングに相手側コネクタが嵌合した状態で、相手側コネクタに水が付着すると、コネクタハウジングと相手側コネクタとの隙間から毛細管現象により水がコネクタハウジング内に浸入することが懸念される。
【００２７】
上記の構成によれば、排水部に達した水が、第２止水壁の外側面を流下し、第２止水壁の下端縁に達した場合でも、この水が、コネクタハウジングに相手側コネクタが嵌合した状態における、コネクタハウジングと相手側コネクタとの隙間に付着することを抑制できる。
【００２８】
前記第２止水壁は、前記コネクタハウジングを構成する壁部を兼ねていてもよい。
【００２９】
上記の構成によれば、コネクタハウジングの直近の位置において水の浸入を規制できるので、コネクタハウジングへの水の浸入を効果的に抑制できる。
【００３０】
前記第２止水壁は、前記第１排水部又は前記第２排水部を構成する壁部を兼ねていてもよい。
【００３１】
上記の構成によれば、第２止水壁を別途設ける場合に比べて構造を簡素化できる。
【００３２】
前記ケースの下壁、又は前記下枠部には、複数の前記コネクタハウジングが形成されており、複数の前記コネクタハウジングは、前記回路基板のグランドラインに接続された複数のグランド用端子金具がまとめて配設されたグランド用コネクタハウジングを含む構成としてもよい。
【００３３】
上記の構成によると、同一のコネクタハウジング内に電位の異なる複数の端子金具を収容する場合に比べて、隣り合う端子金具同士が短絡することを抑制できる。
【００３４】
前記上枠部には複数の前記側枠部が形成されており、前記傾斜面は、前記上枠部のうち、複数の前記側枠部からの距離が略等しい位置を頂点として、各前記側枠部に向かうに従って下降傾斜して形成されていてもよい。
【００３５】
上記の構成によれば、傾斜面が、複数の側枠部のうち、一の側枠部について片寄った位置を頂点として、各側枠部に向かうに従って下降傾斜する場合に比べて、傾斜面を流下する水の量が分散される。これにより、全体として傾斜面の排水性能が向上する。
【００３６】
前記側枠部には、前記溝部を構成する一対の側壁の先端縁に掛け渡されて前記溝部を覆う蓋部が形成されていてもよい。
【００３７】
例えば電気接続箱が傾いた姿勢となった場合に、溝部を流れる水が、溝部を構成する側壁の先端縁を乗り越えてしまうことが懸念される。すると、側壁を乗り越えた水が、側枠部の外面を回りこむことにより、回路基板にまで移動することが懸念される。
【００３８】
上記の構成によれば、電気接続箱が傾いた姿勢となった場合でも、溝部を流れる水が、溝部を構成する側壁の先端縁を乗り越えることを抑制できる。
【００３９】
前記ケースの側壁の下端縁は、前記コネクタハウジングに嵌合した状態における前記相手側コネクタの下端縁よりも下方に位置していてもよい。
【００４０】
ケースの側壁の外面付着した水は、ケースの側壁の外面を流下して、ケースの側壁の下端縁に達する。上記の構成によれば、ケースの側壁の下端縁に付着した水が、コネクタハウジングに嵌合した状態における相手側コネクタに付着することを抑制できる。
【発明の効果】
【００４１】
本発明によれば、ケース内に浸入した水が回路基板に付着することを抑制できる。
【発明を実施するための最良の形態】
【００４２】
＜実施形態１＞
本発明を、車両（図示せず）に搭載される電気接続箱１０に適用した実施形態１について、図１ないし図９を参照しつつ説明する。本実施形態に係る電気接続箱１０は、ケース１１内に回路基板１２を収容してなる。この電気接続箱１０は、電源（図示せず）と、ランプ、ホーン等の車載電装品（図示せず）との間に配されて、車載電装品に対して通電、及び断電を実行する。なお、以下の説明においては、図２における上方を上方とし、下方を下方とする。また、図４における右側を表側とし、左側を裏側とする。
【００４３】
（ケース１１）
図１ないし図４に示すように、ケース１１は合成樹脂製であって、下方に開口している。ケース１１は、図１における右手前側から左奥側へ向かう方向の幅寸法よりも、左手前側から右奥側へ向かう方向（表裏方向）の厚さ寸法が小さく設定された、扁平な形状をなしている。図３及び図５に示すように、ケース１１の上壁には、相手側コネクタ１３（本発明の相手側部材に相当）を装着するための上側コネクタハウジング１４（本発明の装着部に相当）と、ヒューズ１５（本発明の相手側部材に相当）が装着される複数（本実施形態では３つ）のヒューズ装着部１６（本発明の装着部に相当）とが、上方に開口して形成されている。
【００４４】
図４に示すように、上側コネクタハウジング１４の内部には、上側コネクタハウジング１４の奥壁を貫通して端子金具１７Ａが配されている。端子金具１７Ａの下端部は裏側（図４における左側）に曲げ形成されて、回路基板１２に形成された挿通孔１８内に挿通されて、回路基板１２に形成された導電路（図示せず）と、例えば半田付けにより接続されている。
【００４５】
また、ヒューズ装着部１６の内部には、ヒューズ装着部１６の奥壁を貫通して端子金具１７Ｂが配されている。端子金具１７Ｂの下端部は裏側に曲げ形成されて、回路基板１２に形成された挿通孔１８に挿通されて、回路基板１２に形成された導電路と、例えば半田付け等公知の手法により接続されている。
【００４６】
図４及び図５に示すように、ケース１１の下端部には、合成樹脂製のコネクタブロック１９（本発明のケース１１の下壁に相当）が取り付けられて、下方に開口するケース１１の開口を塞いでいる。コネクタブロック１９には、図示しない相手側コネクタと嵌合可能な複数（本実施形態では３つ）の下側コネクタハウジング２０（本発明のコネクタハウジングに相当）が下方に開口して形成されている。
【００４７】
図４に示すように、下側コネクタハウジング２０の内側には、下側コネクタハウジング２０の奥壁を上下方向に貫通して端子金具１７Ｃが配されている。端子金具１７Ｃの上端部は裏側（図４における左側）に曲げ形成されて、回路基板１２に形成された挿通孔１８内に挿通されて、回路基板１２に形成された導電路（図示せず）と、例えば半田付けにより接続されている。
【００４８】
図５に示すように、コネクタブロック１９の側壁のうち図５における左右両側に位置する一対の側壁には、それぞれ、外方に突出するロック突部２１が形成されている。一方、ケース１１の側壁のうち図５における左右両側に位置する一対の側壁には、それぞれ、上述したロック突部２１と対応する位置に、ロック突部２１と弾性的に係止するロック受け部２２が、開口して形成されている。
【００４９】
図９に示すように、コネクタブロック１９の側壁には、コネクタブロック１９の周方向外方に突出するフランジ２３が形成されている。このフランジ２３に、ケース１１の下端縁が上方から当接することで、ケース１１がコネクタブロック１９に対して下方に移動することが規制される。
【００５０】
（回路基板１２）
図４に示すように、ケース１１内には、ケース１１の上壁に対して略垂直な姿勢で（いわゆる縦置き配置で）、回路基板１２が収容されている。図７に示すように、回路基板１２は略矩形状をなしている。回路基板１２の表面には、プリント配線技術により図示しない導電路が形成されている。回路基板１２の表面には、リレー等の電子部品２４が実装されており、上述した導電路に、例えば半田付け等公知の手法により接続されている。
【００５１】
（枠体２５）
図４に示すように、ケース１１内には、回路基板１２の外周を取り囲むように合成樹脂製の枠体２５が収容されている。図５に示すように、枠体２５は、ケース１１の上壁に形成された上側コネクタハウジング１４及びヒューズ装着部１６の下方に位置して、回路基板１２の上方を覆う上枠部２６と、この上枠部２６の図５における左右両端縁から下方に延びて、回路基板１２の側縁の側方に位置して配される２つの側枠部２７と、この側枠部２７の下端縁を掛け渡すように形成されて、回路基板１２の下方に位置する下枠部２８と、を備える。
【００５２】
図４に示すように、枠体２５の裏面（図４における左側の面）には、回路基板１２を収容するための基板収容部２９が、表側（図４における右側）に陥没して形成されている。図７に示すように、回路基板１２と枠体２５とは、基板収容部２９の四隅に形成されたねじ孔３０にボルト３１が螺合されることによりネジ止めされている。基板収容部２９の陥没深さ寸法は、回路基板１２の厚さ寸法と、ボルト３１の頭部の高さ寸法との和に対して、同じか、やや小さく設定されている。
【００５３】
図４に示すように、枠体２５には、上側コネクタハウジング１４内に配される端子金具１７Ａと、ヒューズ装着部１６内に配される端子金具１７Ｂと、下側コネクタハウジング２０内に配される端子金具１７Ｃと、がモールド成形されている。これにより、各端子金具１７，１７Ｂ，１７Ｃは、枠体２５に対して液密的に貫通している。
【００５４】
図４に示すように、上枠部２６には、上側コネクタハウジング１４内に配される端子金具１７Ａと、ヒューズ装着部１６内に配される端子金具１７Ｂと、が貫通している。各端子金具１７Ａ，１７Ｂは、各端子金具１７Ａ，１７Ｂのうち曲げ形成された領域が上枠部２６内に配された状態でモールド成形されている。
【００５５】
また、図４に示すように、下枠部２８には、下側コネクタハウジング２０内に配される端子金具１７Ｃが貫通している。この端子金具１７Ｃは、端子金具１７のうち、曲げ形成された領域が下枠部２８内に配された状態でモールド成形されている。
【００５６】
（排水構造）
図５に示すように、上枠部２６の上面には、図５における左右両端部に位置する一対の側枠部２７からの距離が略等しい位置（図５における左右方向の中央付近）を頂点として、図５における左右方向両端部に位置する側枠部２７に向かって下降傾斜する傾斜面３２が形成されている。図５に示すように、傾斜面３２は、表裏方向（図５において紙面を貫通する方向)から見て、山形をなしている。この傾斜面３２は、ケース１１の上壁に形成された上側コネクタハウジング１４及びヒューズ装着部１６の下方の位置に配されている。
【００５７】
図４に示すように、上枠部２６のうち表側（図４における右側）に位置する端縁と、裏側（図４における左側）に位置する端縁と、には、それぞれ、上方に突出する上側止水壁３３が形成されている。
【００５８】
また、図４に示すように、ケース１１の上壁の下面には、上側止水壁３３を収容する上側止水溝３４が上方に陥没して形成されている。これにより、上側止水壁３３と、上側止水溝３４との間には、入り組んだ構造が形成される。これにより、上枠部２６の上面に落下した水が上側止水壁３３を回り込んで回路基板１２に移動することが抑制される。
【００５９】
図６に示すように、一対の側枠部２７の外側面には、それぞれ、上下方向に延びる溝部３５が形成されている。溝部３５は、側枠部２７のうち表側（図６における左手前側）に位置する端縁と、裏側（図６における右奥側）に位置する端縁と、にそれぞれ、外方に突出すると共に上下に延びて形成された一対の側壁３６に囲まれて形成されている。
【００６０】
図５に示すように、コネクタブロック１９のうち、溝部３５の下端縁に対応する位置には、下方に開口する第１排水部３７が形成されている。この第１排水部３７は、コネクタブロック１９のうち、図５における左右両端部に形成されている。
【００６１】
図５に示すように、コネクタブロック１９の上面（図５における上側の面）には、各第１排水部３７の近傍の位置に、上方に突出する第１止水壁３８が形成されている。図９に示すように、第１止水壁３８は、コネクタブロック１９の上面に、表裏方向（図９において左手前側から右奥側に向かう方向）に延びて形成されている。本実施形態においては、第１止水壁３８は、第１排水部３７に対して、図５における左右方向内側の位置に形成されている。
【００６２】
図５に示すように、下枠部２８の下面（図５における下側の面）には、各第１止水壁３８に対応する位置に上方に陥没して、第１止水壁３８を収容する第１止水溝３９が形成されている。図８に示すように、第１止水溝３９は、下枠部２８の下面に、表裏方向（図８の紙面を貫通する方向）に延びて形成されている。第１止水壁３８が第１止水溝３９内に収容されることにより、第１止水壁３８と、第１止水溝３９との間には、入り組んだ構造が形成される。
【００６３】
続いて、本実施形態の作用、効果について説明する。図５に示すように、降雨時、洗車時等、電気接続箱１０に水が降りかかると、ケース１１の上壁に開口して設けられた上側コネクタハウジング１４、及びヒューズ装着部１６からケース１１内に水が浸入する（矢線Ａ参照）。すると、ケース１１内に浸入した水は下方に流下し、上側コネクタハウジング１４、及びヒューズ装着部１６の下方の位置に配された上枠部２６の上面に落下する。この上枠部２６は回路基板１２の上方を覆っているので、回路基板１２に水が付着することを抑制できる。
【００６４】
上枠部２６の上面に滴下した水は、上枠部２６の上面に形成された傾斜面３２を流下し、図５における左右両側に配された側枠部２７に移動する（矢線Ｂ，Ｃ参照）。側枠部２７に移動した水は、側枠部２７の外側面に上下方向に延びて形成された溝部３５によって案内されて、溝部３５内を下方へと流下する（矢線Ｄ，Ｅ参照）。側枠部２７は回路基板１２の側方の位置に配されており、溝部３５は側枠部２７の外側面に形成されているので、溝部３５を流下する水が回路基板１２に付着することを抑制できる。
【００６５】
溝部３５の下端縁にまで達した水は、下方に流下し、コネクタブロック１９のうち溝部３５の下端縁に対応する位置に開口して設けられた第１排水部３７から、ケース１１の外部へと排出される（矢線Ｆ，Ｇ参照）。これにより、ケース１１内に浸入した水が回路基板１２に付着することを抑制できる。
【００６６】
さらに、本実施形態においては、ケース１１の下端部にはコネクタブロック１９が取り付けられており、このコネクタブロック１９の上面には、第１排水部３７の近傍の位置に上方に突出する第１止水壁３８が形成されている。これにより、溝部３５の下端縁から流下した水が、第１排水部３７に落下せずにコネクタハウジングの上面に落下した場合でも、第１止水壁３８によって、水が回路基板１２に移動することを抑制できる。
【００６７】
その上、本実施形態においては、回路基板１２の下方の位置に配される下枠部２８の下面には第１止水壁３８に対応する位置に第１止水壁３８を収容する第１止水溝３９が形成されている。このように第１止水壁３８が第１止水溝３９内に収容されることにより、第１止水壁３８と第１止水溝３９との間には入り組んだ構造が形成される。これにより、第１排水部３７から流下してコネクタハウジングの上面に落下した水が、回路基板１２に移動することを一層抑制できる。
【００６８】
また、本実施形態においては、上枠部２６には、上枠部２６の端縁から下方に延びて形成された一対の側枠部２７からの距離が略等しい位置を頂点として、各側枠部２７に向かうに従って下降傾斜する傾斜面３２が形成されている。これにより、傾斜面３２が、複数の側枠部２７のうち一の側枠部２７について片寄った位置を頂点として、各側枠部２７に向かうに従って下降傾斜する場合に比べて、傾斜面３２を流下する水の量が平均化される。これにより、全体として傾斜面３２の排水性能が向上する。
【００６９】
＜実施形態２＞
次に、本発明の実施形態２を図１０ないし図１２を参照しつつ説明する。本実施形態においては、枠体２５の下枠部２８のうち、表側（図１１における左手前側）には、図１０における右手前側から左手奥側へ向かう方向の両端部寄りの位置に、表側に突出する一対のロック突部２１が形成されている。詳細には図示しないが、枠体２５の下枠部２８のうち、裏側（図１１において右奥側）にも、同様に一対のロック突部４１が形成されている。
【００７０】
図１０に示すように、ケース１１の側壁部には、上述したロック突部４１と対応する位置に、ロック突部４１と弾性的に係止する複数のロック受け部４２が、開口して形成されている
【００７１】
図１１に示すように、枠体２５の下枠部２８の下面には、下方に開口して図示しないワイヤーハーネスに接続された相手側コネクタと嵌合可能な複数（本実施形態では３つ）の下側コネクタハウジング２０（本発明のコネクタハウジングに相当）が形成されている。
【００７２】
図１２に示すように、下側コネクタハウジング２０の内側には、下側コネクタハウジング２０の奥壁を貫通して端子金具１７Ｃが配されている。端子金具１７Ｃの上端部は裏側（図１２における右側）に曲げ形成されて、回路基板１２に形成された挿通孔１８内に挿通された状態で、回路基板１２に形成された導電路（図示せず）と、例えば半田付けにより接続されている。
【００７３】
図１１に示すように、側枠部２７の外面に形成された溝部３５の下端縁は第２排水部４７とされている。この第２排水部４７は、ケース１１の下部において、下方に開口するケース１１の開口からケース１１の外部に露出している。
【００７４】
図１２に示すように、ケース１１の側壁の下端縁の位置は、下側コネクタハウジング２０の下端縁の位置よりもやや下方に位置して形成されている。
【００７５】
上記以外の構成については、実施形態１と略同様なので、同一部材については同一符号を付し、重複する説明を省略する。
【００７６】
続いて、本実施形態の作用、効果について説明する。まず、ケース１１の上壁に上方に開口して設けられた上側コネクタハウジング１４及びヒューズ装着部１６からケース１１内に水が浸入すると、ケース１１内に浸入した水は下方に流下し、上側コネクタハウジング１４及びヒューズ装着部１６の下方の位置に配された上枠部２６の上面に落下する。上枠部２６は回路基板１２の上方を覆っているので、回路基板１２に水が付着することを抑制できる。
【００７７】
上枠部２６の上面に滴下した水は、上枠部２６の上面に形成された傾斜面３２を流下し、側枠部２７に移動する。側枠部２７に移動した水は、側枠部２７の外側面に上下方向に延びて形成された溝部３５に案内されて、下方へと流下する。側枠部２７は回路基板１２の側方の位置に配されており、溝部３５は側枠部２７の外側面に形成されているので、溝部３５を流下する水が回路基板１２に付着することを抑制できる。
【００７８】
溝部３５の下端縁に設けられた第２排水部４７まで流下した水は、下方に落下しケース１１の外部へと排出される。これにより、ケース１１内に浸入した水が回路基板１２に付着することを抑制できる。
【００７９】
また、本実施形態においては、ケース１１の下端縁は、下側コネクタハウジング２０の下端縁よりも下方に位置して形成されている。これにより、ケース１１の外面を流下した水が、ケース１１の下端縁に達した場合に、下側コネクタハウジング２０の下端縁に付着しすることを抑制できる。この結果、下側コネクタハウジング２０の下端縁に水が付着して、下側コネクタハウジング２０に嵌合する相手側コネクタ１３との隙間から毛細管現象によって水が下側コネクタハウジング２０内に浸入することを抑制できる。
【００８０】
＜実施形態３＞
次に、本発明の実施形態３を図１３を参照しつつ説明する。本実施形態においては、図１３において右手前側に位置する側枠部２７には、溝部３５を構成する一対の側壁３６の先端縁に掛け渡されて溝部３５を覆う蓋部５０が形成されている。蓋部５０は、溝部３５の上端部から下端部に至るまでを覆っている。図１３には詳細に示さないが、図１３における左奥側に位置する側枠部２７にも、同様に蓋部５０が形成されている。
【００８１】
上記以外の構成については、実施形態２と略同様なので、同一部材については同一符号を付し、重複する説明を省略する。
【００８２】
例えば、車両が縁石に乗り上げた状態で停車するなど、電気接続箱１０が傾いた姿勢となった場合に、溝部３５を流れる水が、溝部３５を構成する側壁３６の先端縁を乗り越えてしまうことが懸念される。すると、側壁３６を乗り越えた水が、側枠部２７の外面を回りこむことにより、回路基板１２にまで移動することが懸念される。
【００８３】
上記の構成によれば、電気接続箱１０が傾いた姿勢となった場合でも、溝部３５を流れる水が、溝部３５を構成する側壁３６の先端縁を乗り越えることを抑制できる。
【００８４】
＜実施形態４＞
次に、本発明の実施形態４を図１４及び図１５を参照しつつ説明する。図１５には、下側コネクタハウジング２０に相手側コネクタ６０が嵌合した状態が示されている。相手側コネクタ６０は、雌端子金具が収容される雌コネクタハウジング６１を有する。雌端子金具６２には電線６３が接続されている。相手側コネクタ６０が下側コネクタハウジング２０と嵌合することにより、雌端子金具６２と、下側コネクタハウジング２０内に位置する端子金具１７Ｃとが、電気的に接続される。
【００８５】
図１５に示すように、ケース１１の側壁の下端縁は、下側コネクタハウジング２０に嵌合した状態における相手側コネクタ６０の下端縁よりも下方に位置して形成されている。
【００８６】
上記以外の構成については、実施形態２と略同様なので、同一部材については同一符号を付し、重複する説明を省略する。
【００８７】
本実施形態によれば、ケース１１の側壁の外面に付着した水は、ケース１１の側壁の外面を流下して、ケース１１の側壁の下端縁に達する。上記の構成によれば、ケース１１の側壁の外側を流下した水が、ケース１１の側壁の下端縁に達した場合に、下側コネクタハウジング２０と嵌合した状態における相手側コネクタ６０の下端縁に付着することを抑制できる。この結果、相手側コネクタ６０の下端縁に水が付着して、下側コネクタハウジング２０と相手側コネクタ６０との隙間から毛細管現象によって水が下側コネクタハウジング２０内に浸入することを確実に抑制できる。
【００８８】
＜実施形態５＞
次に、本発明の実施形態５を図１６ないし図１８を参照しつつ説明する。図１７に示すように、下枠部２８の下面には下方に開口する複数（本実施形態では３つ）の下側コネクタハウジング２０（本実施形態のコネクタハウジングに相当）が形成されている。
【００８９】
図１７に示すように、下枠部２８の下面には、下側コネクタハウジング２０と、一対の第２排水部４７との間の位置に、下方に垂下する一対の第２止水壁６８が形成されている。
【００９０】
図１７における左端部に位置する下側コネクタハウジング２０の内部には、回路基板１２に形成されたグランドラインに接続された複数（本実施形態では２つ）のグランド用端子金具７７が収容されている。このグランド用端子金具７７が収容された下側コネクタハウジング２０は、グランド用コネクタハウジング８０とされる。
【００９１】
図１７における左側に位置する第２止水壁６８は、グランド用コネクタハウジング８０を構成する壁部を兼ねる。図１６に示すように、第２排水部４７の開口は、グランド用コネクタハウジング８０に向かって斜めに切り欠いて形成されている。
【００９２】
一方、図１７における中央付近に位置する下側コネクタハウジング２０には、複数（本実施形態では５つ）の端子金具１７Ｃが収容されている。この端子金具１７Ｃは、回路基板１２に形成された導電路のうち、グランドラインとは異なる導電路に接続されている。
【００９３】
また、図１７における右端部に位置する下側コネクタハウジング２０の内部には、１つの端子金具１７Ｃが収容されている。この端子金具１７Ｃは、相手側コネクタ（図示せず）を介して電源に接続される。
【００９４】
図１７における右側に位置する第２止水壁６８は、図１７における右端側に位置する第２排水部４７を構成する壁部を兼ねる。図１６に示すように、第２排水部４７の開口は、図１６における左右方向内側に向かって斜めに切り欠いて形成されている。
【００９５】
図１８に示すように、第２止水壁６８の下端縁は、下側コネクタハウジング２０に嵌合した相手側コネクタ６０の下端縁よりも下方に位置して形成されている。
【００９６】
また、図１８に示すように、ケース１１の側壁の下端縁は、下側コネクタハウジング２０に嵌合した状態における相手側コネクタ６０の下端縁よりも下方に位置して形成されている。
【００９７】
上記以外の構成については、実施形態３と略同様なので、同一部材については同一符号を付し、重複する説明を省略する。
【００９８】
例えば、車両が縁石に乗り上げた状態で停車するなど、電気接続箱１０が傾いた姿勢となった場合に、溝部３５を経由して第２排水部４７に達した水が、下枠部２８の下面を流下して、下側コネクタハウジング２０に達し、下側コネクタハウジング２０内に浸入することが懸念される。
【００９９】
上記の点に鑑み、本実施形態においては、下枠部２８の下面には、下側コネクタハウジング２０と第２排水部４７との間の位置に、下方に垂下する一対の第２止水壁６８が形成されている。この第２止水壁６８により、第２排水部４７に達した水が、下枠部２８の下面を流下して下側コネクタハウジング２０内に流入することを抑制できる。
【０１００】
また、本実施形態においては、第２止水壁６８の下端縁は、下側コネクタハウジング２０に嵌合した相手側コネクタ６０の下端縁よりも下方に位置して形成されている。これにより、第２止水壁６８の表面に付着して流下した水が、第２止水壁６８の下端縁に達した場合に、この水が下側コネクタハウジング２０と嵌合した状態における相手側コネクタ６０の下端縁に付着することを抑制できる。この結果、相手側コネクタ６０の下端縁に水が付着して、下側コネクタハウジング２０と相手側コネクタ６０との隙間から毛細管現象によって水が下側コネクタハウジング２０内に浸入することを確実に抑制できる。
【０１０１】
また、本実施形態においては、第２止水壁６８は、下側コネクタハウジング２０を構成する壁部を兼ねている。これにより、下側コネクタハウジング２０の直近の位置において水の浸入を規制できるので、下側コネクタハウジング２０への水の浸入を効果的に抑制できる。
【０１０２】
また、本実施形態においては、第２止水壁６８は、第２排水部４７を構成する壁部を兼ねている。これにより、第２止水壁６８を別途設ける場合に比べて構造を簡素化できる。
【０１０３】
また、本実施形態においては、下枠部２８の下面には、複数の下側コネクタハウジング２０が形成されている。これら複数の下側コネクタハウジング２０は、回路基板１２のグランドラインに接続された複数（本実施形態では２つ）のグランド用端子金具７７がまとめて配設されたグランド用コネクタハウジング８０を含む。これにより、グランド用コネクタハウジング８０内に水が浸入して、隣り合うグランド用端子金具７７同士に水が付着した場合でも、グランド用端子金具７７同士は同電位なので、グランド用端子金具７７同士が短絡するおそれが小さい。この結果、同一の下側コネクタハウジング２０内に電位の異なる複数の端子金具１７Ｃを収容する場合に比べて、隣り合う端子金具１７Ｃ同士が短絡することを抑制できる。
【０１０４】
＜他の実施形態＞
本発明は上記記述及び図面によって説明した実施形態に限定されるものではなく、例えば次のような実施形態も本発明の技術的範囲に含まれる。
（１）本実施形態においては、上枠部２６には、上枠部２６の端縁から下方に延びて形成された一対の側枠部２７からの距離が略等しい位置を頂点として、各側枠部２７に向かうに従って下降傾斜する傾斜面３２が形成されているが、これに限られず、傾斜面３２は、複数の側枠部２７のうち一の側枠部２７について片寄った位置を頂点として、各側枠部２７に向かうに従って下降傾斜する構成としてもよく、側枠部２７に向かって下降傾斜する形状であれば、必要に応じて任意の形状となしうる。
（２）本実施形態においては、回路基板１２は、ケース１１の上壁に対して略垂直な姿勢でケース１１内に収容される構成としたが、これに限られず、ケース１１の上壁に対して略水平な姿勢で（いわゆる横置き配置）、ケース１１内に収容してもよいし、必要に応じて、ケース１１内において任意の姿勢で収容することができる。
（３）実施形態１においては、コネクタブロック１９の下面には第２止水壁６８が形成されていない構成としたが、これに限られず、第２止水壁６８は、コネクタブロック１９の下面のうち、下側コネクタハウジング２０と第１排水部３７との間の位置に、下方に垂下して形成してもよい。また、この場合において、第２止水壁６８は、下側コネクタハウジング２０を構成する壁部を兼ねる構成としてもよい。
（４）実施形態５においては、一対の第２止水壁６８の一方は下側コネクタハウジング２０を構成する壁部を兼ねる構成とし、他方は第２排水部４７を構成する壁部を兼ねる構成としたが、これに限られず、第２止水壁６８は、下側コネクタハウジング２０を構成する壁部とは別体に形成してもよいし、また、第２止水壁６８は、第２排水部４７を構成する壁部とは別体に形成してもよい。
（５）実施形態１においては、コネクタブロック１９の上面に第１止水壁３８を形成したが、第１止水壁３８は省略できる。また、下枠部２８の下面に第１止水溝３９を形成する構成としたが、第１止水溝３９は省略できる。
【図面の簡単な説明】
【０１０５】
【図１】本発明の実施形態１に係る電気接続箱を示す斜視図
【図２】電気接続箱を示す正面図
【図３】電気接続箱を示す上面図
【図４】図２におけるＩＶ−ＩＶ線断面図
【図５】図３におけるＶ−Ｖ線断面図
【図６】枠体を示す斜視図
【図７】電気接続箱を示す分解斜視図
【図８】枠体を示す背面図
【図９】コネクタブロックを示す斜視図
【図１０】実施形態２に係る電気接続箱を示す斜視図
【図１１】枠体を示す斜視図
【図１２】電気接続箱を示す側断面図
【図１３】実施形態３に係る電気接続箱の枠体を示す斜視図
【図１４】実施形態４に係る電気接続箱を示す斜視図
【図１５】電気接続箱を示す側断面図
【図１６】実施形態５に係る電気接続箱を示す要部拡大斜視図
【図１７】電気接続箱を示す要部拡大断面図
【図１８】電気接続箱を示す要部拡大側断面図
【符号の説明】
【０１０６】
１０…電気接続箱
１１…ケース
１２…回路基板
１４…上側コネクタハウジング（装着部）
１６…ヒューズ装着部（装着部）
１７Ａ，１７Ｂ，１７Ｃ…端子金具
２０…下側コネクタハウジング（コネクタハウジング）
２６…上枠部
２７…側枠部
２８…下枠部
３２…傾斜面
３５…溝部
３７…第１排水部
３８…第１止水壁
３９…第１止水溝
４７…第２排水部
５０…蓋部
６８…第２止水壁
８０…グランド用コネクタハウジング
【図１】
0005173596.tif 000002
【図２】
0005173596.tif 000003
【図３】
0005173596.tif 000004
【図４】
0005173596.tif 000005
【図５】
0005173596.tif 000006
【図６】
0005173596.tif 000007
【図７】
0005173596.tif 000008
【図８】
0005173596.tif 000009
【図９】
0005173596.tif 000010
【図１０】
0005173596.tif 000011
【図１１】
0005173596.tif 000012
【図１２】
0005173596.tif 000013
【図１３】
0005173596.tif 000014
【図１４】
0005173596.tif 000015
【図１５】
0005173596.tif 000016
【図１６】
0005173596.tif 000017
【図１７】
0005173596.tif 000018
【図１８】
0005173596.tif 000019